(57)【特許請求の範囲】
【請求項１】
島内に取り付けたフレーム枠に対し台間機本体を前方より差し込んで脱着可能に装着してなる遊技媒体貸出用台間機において、
上記台間機本体の背面側に互いに上下方向に所定距離隔てて設けられた複数の係合部材と、
上記フレーム枠の垂直部の上記各係合部材に対応する部位にそれぞれ係合部材が差し込み可能に設けられた複数の係合孔と、
上記各係合部材が対応する係合孔に差し込まれた状態で各係合部材を抜け止めにするためのロック部材と、
このロック部材を係合部材の抜け止め方向に弾性的に付勢する付勢部材と、
この付勢部材の付勢力に抗して上記ロック部材を係合部材の抜け止め解除方向に操作した時その状態を保持する保持手段とを備えており、
上記ロック部材は、フレーム枠の垂直部の一方の側壁内面に重ね合わされかつ最上位置の係合孔と最下位置の係合孔との間に跨って上下方向に延びる縦長のプレート状部と、このプレート状部の各係合孔に対応する部位から対応する係合孔を貫通しかつフレーム枠の垂直部の背面外側に沿うように形成された複数の抜け止め部とを有してなり、
上記ロック部材のプレート状部とフレーム枠の垂直部の一方の側壁との間には、一方に設けた上下方向に長い長孔と、他方にこの長孔に挿入するように設けたガイドピンとからなるガイド機構が設けられ、このガイド機構の案内の下でロック部材の各抜け止め部が対応する係合部材の嵌合孔からの抜け止めをする抜け止め位置と抜け止めを解除する抜け止め解除位置との間でロック部材がフレーム枠の垂直部に沿って上下動可能に設けられており、
上記ロック部材の各抜け止め部にはそれぞれ上下方向に長い長孔を有するプレートが固定され、このプレートの長孔を通してネジ部材がフレーム枠の垂直部の背面にねじ込んで固定されており、上記ロック部材が抜け止め位置と抜き止め解除位置との間でフレーム枠の垂直部に沿って上下動する時このネジ部材とプレートの長孔とによっても案内するようになっており、また、上記プレートにはフランジ部が形成されており、
上記保持手段は、台間機本体の背面側でかつ上記複数の係合部材のうちの１つの係合部材の近傍に出没可能に設けられたロックピンと、このロックピンを突出方向に付勢するばねとを有し、上記ロック部材が抜け止め位置に位置するとき上記ロックピンがプレートに対面して非突出状態にあり、上記ロック部材が抜け止め解除位置に移動操作されたとき上記ロックピンがばねの付勢力により突出し、プレートのフランジ部に当接して保持機能を発揮するように構成されていることを特徴とする遊技媒体貸出用台間機のロック機構。
【請求項２】
請求項１記載のロック機構を備えたことを特徴とする遊技媒体貸出用台間機。
【発明の詳細な説明】
【０００１】
【発明の属する技術分野】
本発明は、島内に取り付けたフレーム枠に台間機本体を脱着可能に装着してなる遊技媒体貸出用台間機及びそのロック機構に関する。
【０００２】
【従来の技術】
一般に、パチンコホール等の遊技場においては、遊技者の便宜を図るために、パチンコ機やスロットマシン等の各遊技機の側方に、カード又は現金の投入によってパチンコ球やメダル等の遊技媒体を貸し出す台間機が設置されている。この台間機は、通常、紙幣識別機やカード処理装置等を有する台間機本体とフレーム枠とに分離され、フレーム枠を遊技島内に固定し、このフレーム枠に対し台間機本体を前後方向に差し込んで取り付けたり、引き抜いて取り外したりすることができるようになっている一方、台間機本体の背面側とフレーム枠の垂直部との間にロック機構を装備している。
【０００３】
そして、この種のロック機構としては、例えば特開平９−９４３４４号公報に開示されるように、台間機本体の背面側に設けられた係合孔と、フレーム枠の垂直部に台間機本体側に突出して設けられた上記係合孔と係合可能な楔形状の係合部材と、この係合部材を上下動させる操作部材と、この操作部材を上記係合部材が係合孔に係合する方向に弾性的に付勢する付勢部材とからなるものが知られている。
【０００４】
【発明が解決しようとする課題】
ところが、上記従来のものでは、台間機本体をフレーム枠から取り外す時には、付勢部材の付勢力に抗して操作部材を移動させて係合部材と係合孔との係合状態を解除し、この解除状態を保持しながら台間機本体を前方に引き出さなければならず、その作業が容易でないという問題があった。尚、上記例示の公報には、係合部材にテーパ状の摺接部を形成し、台間機本体をフレーム枠から取り外す時に付勢部材の付勢力に抗して操作部材を移動させると上記摺接部が係合孔の縁部に当たって台間機本体を係合部材と係合孔との係合状態を解除する程度にまで前方に押し出すようにすることが開示されているが、台間機本体は重量物であるので、この台間機本体を押し出すために操作部材の移動操作力として非常に大きな力が必要であるという不具合がある。
【０００５】
本発明はかかる点に鑑みてなされたものであり、その課題とするところは、台間機本体をフレーム枠から取り外す時の作業を容易に行い得る遊技媒体貸出用台間機及びそのロック機構を提供せんとするものである。
【０００６】
【課題を解決するための手段】
上記の課題を解決するため、請求項１に係る発明は、島内に取り付けたフレーム枠に対し台間機本体を前方より差し込んで脱着可能に装着してなる遊技媒体貸出用台間機のロック機構として、上記台間機本体の背面側に互いに上下方向に所定距離隔てて設けられた複数の係合部材と、上記フレーム枠の垂直部の上記各係合部材に対応する部位にそれぞれ係合部材が差し込み可能に設けられた複数の係合孔と、上記各係合部材が対応する係合孔に差し込まれた状態で各係合部材を抜け止めにするためのロック部材と、このロック部材を係合部材の抜け止め方向に弾性的に付勢する付勢部材と、この付勢部材の付勢力に抗して上記ロック部材を係合部材の抜け止め解除方向に操作した時その状態を保持する保持手段とを備える。そして、上記ロック部材は、フレーム枠の垂直部の一方の側壁内面に重ね合わされかつ最上位置の係合孔と最下位置の係合孔との間に跨って上下方向に延びる縦長のプレート状部と、このプレート状部の各係合孔に対応する部位から対応する係合孔を貫通しかつフレーム枠の垂直部の背面外側に沿うように形成された複数の抜け止め部とを有する構成にし、上記ロック部材のプレート状部とフレーム枠の垂直部の一方の側壁との間に、一方に設けた上下方向に長い長孔と、他方にこの長孔に挿入するように設けたガイドピンとからなるガイド機構を設け、このガイド機構の案内の下でロック部材の各抜け止め部が対応する係合部材の嵌合孔からの抜け止めをする抜け止め位置と抜け止めを解除する抜け止め解除位置との間でロック部材がフレーム枠の垂直部に沿って上下動可能に設ける。上記ロック部材の各抜け止め部に、それぞれ上下方向に長い長孔を有するプレートを固定するとともに、このプレートの長孔を通してネジ部材をフレーム枠の垂直部の背面にねじ込んで固定し、上記ロック部材が抜け止め位置と抜き止め解除位置との間でフレーム枠の垂直部に沿って上下動する時このネジ部材とプレートの長孔とによっても案内するように構成する。また、上記プレートにフランジ部を形成する。さらに、上記保持手段は、台間機本体の背面側でかつ上記複数の係合部材のうちの１つの係合部材の近傍に出没可能に設けられたロックピンと、このロックピンを突出方向に付勢するばねとを有し、上記ロック部材が抜け止め位置に位置するとき上記ロックピンがプレートに対面して非突出状態にあり、上記ロック部材が抜け止め解除位置に移動操作されたとき上記ロックピンがばねの付勢力により突出し、プレートのフランジ部に当接して保持機能を発揮するように構成する。
【０００７】
この構成では、台間機本体をフレーム枠から取り外す時付勢部材の付勢力に抗してロック部材を係合部材の抜け止め解除方向に操作すると保持手段によってその状態が保持されるため、作業者は、従来の如くロック部材を操作状態に保持しながら台間機本体を前方に引き出すという面倒な作業を行う必要はなく、単に台間機本体の引き出しだけを行えばよく、作業が容易なものになる。
【０００８】
しかも、台間機本体をフレーム枠に差し込んで取り付ける時、台間機本体の背面側とフレーム枠の垂直部との間では台間機本体側の複数の係合部材がそれぞれフレーム枠側の対応する係合孔に差し込まれ、この差し込み状態で各係合部材がロック部材により抜け止めされるため、ロック機能を十分に発揮することができる。また、台間機本体をフレーム枠から取り外す時には、１つのロック部材のみを操作するだけで複数の係合部材の抜け止めを共に解除することができ、作業が容易なものになる。その上、ロック部材は、フレーム枠の垂直部の一方の側壁内面に重ね合わされかつ最上位置の係合孔と最下位置の係合孔との間に跨って上下方向に延びる縦長のプレート状部と、このプレート状部の各嵌合孔に対応する部位から対応する嵌合孔を貫通しかつフレーム枠の垂直部の背面外側に沿うように形成された複数の抜け止め部とを有するものであり、ロック機構の装備に伴う台間機の背面側への突出量を少なくすることができる。
【０００９】
請求項２に係る発明は、請求項１に係る発明を、遊技媒体貸出用台間機として把握したものである。すなわち、遊技媒体貸出用台間機は、請求項１記載のロック機構を備える構成にする。
【００１０】
【発明の実施の形態】
以下、本発明の実施の形態を図面に基づいて説明する。
図１ないし図３は本発明の一実施形態に係るロック機構を装備した遊技媒体貸出用台間機Ａを示し、この台間機Ａは、遊技機としてのパチンコ機Ｂの左側方に隣接して配置され、このパチンコ機Ｂに対し貸出データを送信して所定個数のパチンコ球を放出させるとともにカード発行機能を有するものである。
【００１１】
すなわち、台間機Ａは、遊技島内でパチンコ機Ｂに隣接して取り付けられたフレーム枠１と、このフレーム枠１に対し前方より差し込んで脱着可能に装着される台間機本体２とからなる。台間機本体２は、本体ケース３内に紙幣識別機６、カードユニット７及び制御部（図示せず）等を有しており、この台間機本体２の本体ケース３の正面側を構成する正面パネル３ａには上側より順に紙幣投入口１１、カード挿入中ランプ１２、稼働中表示ランプ１３、カード挿入・取込口１４、カード切れランプ１５、カード満杯ランプ１６及びカード挿入ボタン１７が設けられている。そして、紙幣投入口１１に紙幣を投入すると紙幣識別機６でその投入紙幣が真正であることを確認した後カードユニット７がカード挿入・取込口１４よりカードを発行し、またカード挿入ボタン１７を押すとカードをカードユニット７に取り込み、右隣りのパチンコ機Ｂに対し貸出データを送信して所定個数のパチンコ球を放出させるようになっており、これらの制御及び各ランプ１２，１３，１５，１６の点灯又は点滅の制御は制御部によって行われる。
【００１２】
上記フレーム枠１は、台間機本体２を前後方向にガイドするガイド面をそれぞれ有する上下一対の水平部１ａ，１ｂと、この両水平部１ａ，１ｂ同士を連結しかつ台間機本体２の装着状態でその本体ケース３の背面部３ｂに当接する垂直部１ｃとからなり、この垂直部１ｃの縦方向中央部には、図示していないが、外部機器としての右隣りのパチンコ機Ｂ及び遊技場のホストコンピュータや専用端末等の管理装置との間で信号を入出力するための外部通信用制御基板などが設けられている。
【００１３】
そして、上記台間機本体２の背面側とフレーム枠１の垂直部１ｃとの間には、台間機本体２をフレーム枠１に装着した時両者を結合ロックするロック機構２０が設けられている。このロック機構２０は、台間機本体２の背面側の上下２個所にそれぞれ設けられた係合部材２１，２１と、フレーム枠１の垂直部２ｃの上下２個所にそれぞれ上記各係合部材２１が差し込み可能に設けられた係合孔２２，２２（図６ないし図９参照）と、上記両係合部材２１，２１がそれぞれ対応する係合孔２２，２２に差し込まれた状態でこの両係合部材２１，２１を共に抜け止めするためのロック部材２３とを備えている。
【００１４】
上記各係合部材２１は、上側のものの場合図４及び図５に詳示するように、台間機本体２の本体ケース３の背面部３ｂ及び左側面部３cに固定されたアングル状の固定部２１ａと、この固定部２１ａの一端から本体ケース３の背面部３ｂより後方に突出するフック部２１ｂとからなり、フック部２１ｂは、その下辺側に傾斜辺部２１ｃと顎部２１ｄとを有している。
【００１５】
上記ロック部材２３は、フレーム枠１の垂直部１ｃの右側壁内面に重ね合わされかつ上記上下２個所の係合孔２２，２２間に跨って延びる縦長のプレート状の部分つまりプレート状部２３ｃを有し、このロック部材２３のプレート状部２３ｃの上部、中央部及び下部にはそれぞれガイドピン２４が設けられ、この各ガイドピン２４はいずれもフレーム枠１の垂直部１ｃの右側壁に形成した上下方向に長い長孔２５に挿通されていて、この長孔２５及びガイドピン２４からなるガイド機構２６の案内の下にロック部材２３がフレーム枠１の垂直部１ｃに沿って所定の範囲内で上下動可能に設けられている。
【００１６】
また、上記ロック部材２３は、そのプレート状部２３ｃの上下両端部にそれぞれフレーム枠１の垂直部１ｃの背面側に延びる抜け止め部２３ａ，２３ｂを有している。このロック部材２３のプレート状部２３ｃ上端の抜け止め部２３ａは、図６及び図７に示すように、またロック部材２３のプレート状部２３ｃ下端の抜け止め部２３ｂは、図８及び図９に示すように、共に係合孔２２を貫通しかつフレーム枠１の垂直部１ｃの背面外側に沿うように略直角に折り曲げられている。そして、台間機本体２をフレーム枠１に前方より差し込んで取り付け、台間機本体２側の各係合部材２１がそれぞれフレーム枠１側の係合孔２２に差し込まれた状態のときにロック部材２３を上限位置にまで移動させるとロック部材２３の各抜け止め部２３ａ，２３ｂがそれぞれ係合部材２１の顎部２１ｄとフレーム枠１の垂直部１ｃの背面との間に差し込まれて各係合部材２１の係合孔２２からの抜け止めをするようになっている。
【００１７】
上記ロック部材２３の各抜け止め部２３ａ，２３ｂにはそれぞれ上下方向に長い長孔２７を有するプレート２８がネジ止めにより固定され、このプレート２８の長孔２７を通してネジ部材２９がフレーム枠１の垂直部１ｃの背面にねじ込んで固定されており、ロック部材２３がフレーム枠１の垂直部１ｃに沿って所定の範囲内で上下動する時このネジ部材２９とプレート２８の長孔２７とによっても案内するようになっている。上記プレート２８の上縁には指先が引っ掛る程度の大きさを有するフランジ部３０が折り曲げて形成されている。また、ロック部材２３上端側のプレート２８のフランジ部３０とフレーム枠１の垂直部１ｃの背面に形成したばね座部３１との間には、ロック部材２３を上限位置に位置付けるようにつまり係合部材２１の抜け止め方向に弾性的に常時付勢する付勢部材としてのコイルばね３２が掛け渡して設けられている。
【００１８】
上記ロック機構２０は、更に図４及び図５に示すように、台間機本体２の背面側上部に設けた係合部材２１の下方近傍に、上記コイルばね３２の付勢力に抗してロック部材２３を下限位置寄りにつまり係合部材２１の抜け止め解除方向に操作した時その状態を保持する保持手段３５を備えており、この保持手段３５は、台間機本体２の本体ケース３の背面部３ｂより出没可能に設けられたロックピン３６と、台間機本体２の本体ケース３の左側面部３ｃにネジ止めにより固定されロックピン３６を支持する支持部材３７と、この支持部材３７とロックピン３６の鍔部３６ａとの間に縮装されロックピン３６を突出方向に常時付勢するコイルばね３８とを有している。
【００１９】
次に、上記実施形態の作動、特に修理や点検等のために台間機本体２をフレーム枠１から取り外し、またフレーム枠１に取り付けるときのロック機構２０の作動について説明する。
【００２０】
台間機本体２がフレーム枠１に取り付けられているときには、台間機本体２背面側の上下２つの係合部材２１，２１はそれぞれフレーム枠１の係合孔２２に差し込まれており、ロック部材２３はコイルばね３２の付勢力により上限位置に位置付けられ、このロック部材２３の上下両端の抜け止め部２３ａ，２３ｂがそれぞれ上記各係合部材２１の顎部２１ｄとフレーム枠１の垂直部１ｃの背面との間に差し込まれて各係合部材２１の係合孔２２からの抜け止めをする状態になっている。また、保持手段３５のロックピン３６は、図７に示すようにフレーム枠１の垂直部１ｃの背面に形成した挿入孔４１を通してロック部材２３上端側のプレート２８に対面し、フレーム枠１の垂直部１ｃの背面後方には突出していない。
【００２１】
そして、このような状態から台間機本体２をフレーム枠１から取り外すときには、先ず、作業者はロック部材２３の上端側又は下端側のプレート２８のフランジ部３０を指先等で押し下げることにより、ロック部材２３をコイルばね３２の付勢力に抗して下限位置にまで下方に移動させ、ロック部材２３の各抜け止め部２３ａ，２３ｂによる係合部材２１の係合孔２２からの抜け止めを解除する。この際、保持手段３５のロックピン３６は、ロック部材２３と一体のプレート２８の下方への移動に伴い、図１０に示すようにプレート２８の上縁に接した位置でコイルばね３８の付勢力により突出し、ロック部材２３を下限位置につまり係合部材２１の抜け止めを解除した状態に保持する。また、上下２つの係合部材２１，２１の抜け止め解除は、１つのロック部材２３の上端側又は下端側のプレート２８のフランジ部３０を指先等で押し下げるだけの操作で行うことができるので、その分作業を容易に行うことができる。特に、遊技島内の台間機Ａの上部後方はパチンコ球供給装置等が配置され、スペース的に狭くなっているため、台間機Ａの下部後方に位置するロック部材２３下端側のプレート２８のフランジ部３０を指先等で押し下げて上下２つの係合部材２１，２１の抜け止めを解除できることは作業が非常にし易くなる。
【００２２】
その後、台間機本体２を前方に引き出すことにより、台間機本体２をフレーム枠１から取り外すことができる。この際、作業者は、従来の如くロック部材２３を係合部材２１の抜け止め解除状態に保持しながら台間機本体２を前方に引き出すという面倒な作業を行う必要はないので、その分作業を容易に行うことができる。尚、台間機本体２を前方に引き出した時には、保持手段３５のロックピン３６等はフレーム枠１から離れるため、ロック部材２３はコイルばね３２の付勢力により上限位置にまで上方に移動する。
【００２３】
一方、台間機本体２をフレーム枠１に前方より差し込んで取り付けるときには、台間機本体２の差し込み動作に伴って、台間機本体２背面側の各係合部材２１の傾斜辺部２１ｃがそれぞれフレーム枠１側のロック部材２３の抜け止め部２３ａ，２３ｂに当接し、このロック部材２３をコイルばね３２の付勢力に抗して押し下げながら各係合部材２１がフレーム枠１の係合孔２２に差し込まれ、その状態でロック部材２３がコイルばね３２の付勢力により上方に移動し、その抜け止め部２３ａ，２３ｂがそれぞれ上記各係合部材２１の顎部２１ｄとフレーム枠１の垂直部１ｃの背面との間に差し込まれて各係合部材２１の係合孔２２からの抜け止めをする。これにより、台間機本体２がフレーム枠１に対し上下２個所で分離不能にロックされることになり、ロック機能が十分に発揮される。
【００２４】
このように、本実施形態のロック機構２０においては、台間機本体２をフレーム枠１に取り付けたときのロック機能を十分に発揮することができる上、台間機本体２をフレーム枠１から取り外す時の作業を容易に行うことができ、作業性の向上を図ることができる。しかも、ロック部材２３はフレーム枠１の垂直部１ｃの右側壁内面に重ね合わせて設けたプレート状のものであり、ロック機構２０の装備に伴う台間機Ａの背面側への突出量を少なくすることができるので、台間機Ａの小型化等に寄与することができる。
【００２５】
尚、本発明は上記実施形態に限定されるものではなく、その他種々の形態を包含するものである。例えば上記実施形態では、台間機本体２の背面側に係合部材２１を、フレーム枠１の垂直部１ｃに係合孔２２をそれぞれ設けた場合について述べたが、本発明は、特開平９−９４３４４号公報の如く台間機本体の背面側に係合孔を、フレーム枠の垂直部に係合部材をそれぞれ設けてよい。また、係合部材が係合孔に差し込まれた状態で係合部材を抜け止めにするためのロック部材としては、実施形態の如くフレーム枠１の垂直部１ｃに沿って上下動するものに限らず、フレーム枠１の垂直部１ｃ等に揺動可能に設けられたものでもよい。
【００２６】
さらに、上記実施形態では、遊技媒体貸出用台間機として、隣接するパチンコ機Ｂに対し貸出データを送信して所定個数のパチンコ球を放出させるとともにカード発行機能を有するパチンコ球貸出用台間機Ａについて述べたが、本発明は、現金（紙幣又は硬貨）の投入によりパチンコ球の貸出を行う現金機用台間機、磁気カードやＩＣカードの投入によりパチンコ球の貸出を行うカード式台間機の他、スロットマシンの側方に配置されそれに使用するメダルを貸し出し、あるいは貸出メダルをクレジット記録できるスロットマシン用の台間機などにも同様に適用することができるのは勿論である。
【００２７】
【発明の効果】
以上のように、本発明における遊技媒体貸出用台間機及びそのロック機構によれば、台間機本体をフレーム枠から取り外す時付勢部材の付勢力に抗してロック部材を係合部材の抜け止め解除方向に操作するとその状態が機構的に保持されるため、作業者はその後単に台間機本体の引き出しを行うだけでよく、作業を容易に行うことができる。
【００２８】
しかも、台間機本体をフレーム枠に取り付けた時台間機本体側の複数の係合部材がそれぞれフレーム枠の対応する係合孔に抜け止めされるため、ロック機能を十分に発揮することができる。また、１つのロック部材のみを操作するだけで複数の係合部材の抜け止めを共に解除することができ、作業の容易化を一層図ることができる。更に、台間機の背面側への突出量を少なくすることができ、実用性に優れた効果を有するものである。
【図面の簡単な説明】
【図１】  本発明の実施形態に係る台間機及びパチンコ機の斜視図である。
【図２】  上記台間機の側面図である。
【図３】  台間機を台間機本体とフレーム枠とに分離した状態の側面図である。
【図４】  図３のＥ付近の一部切開拡大図である。
【図５】  図４のＦ方向から見た矢視図である。
【図６】  図２のＧ付近の拡大図である。
【図７】  図６のＨ方向から見た矢視図である。
【図８】  図２のＪ付近の拡大図である。
【図９】  図８のＫ方向から見た矢視図である。
【図１０】  ロック部材を係合部材の抜け止め解除方向に操作した時の状態を示す図７相当図である。
【符号の説明】
Ａ    遊技媒体貸出用台間機
１    フレーム枠
１ｃ  垂直部
２    台間機本体
３    本体ケース
３ｂ  背面部
２０    ロック機構
２１    係合部材
２２    係合孔
２３ ロック部材
２３ａ，２３ｂ 抜け止め部
２３ｃ プレート状部
２４ ガイドピン
２５ 長孔
２６ ガイド機構
２７ 長孔
２８ プレート
２９ ネジ部材
３０ フランジ部
３２    コイルばね（付勢部材）
３５    保持手段
３６    ロックピン
３８    コイルばね
【図１】
0004542236.tif 000002
【図４】
0004542236.tif 000003
【図５】
0004542236.tif 000004
【図７】
0004542236.tif 000005
【図９】
0004542236.tif 000006
【図１０】
0004542236.tif 000007
【図２】
0004542236.tif 000008
【図３】
0004542236.tif 000009
【図６】
0004542236.tif 000010
【図８】
0004542236.tif 000011